(57)【要約】【課題】変形に際して楽しさおよび面白さを遊戯者に提供する。【解決手段】変形玩具１００は、第１形態（カブトムシ形態）と当該第１形態とは異なる第２形態（人型形態、図１を参照）とに可逆的に変形可能である。この変形玩具１００は、変形誘発用の物品１０が接触可能な接触部を有し、接触部への物品１０の接触を契機として前記第１形態から前記第２形態に変形可能に構成される。【選択図】図１
2019088878.tif 000002
【特許請求の範囲】
【請求項１】
第１形態と当該第１形態とは異なる第２形態とに変形可能な変形玩具であって、
前記変形玩具は、物品が接触可能な接触部と、
前記接触部への前記物品の接触を条件として、前記第１形態から前記第２形態へ変形可能に制御する変形制御機構と、
前記物品を収容可能な収容部と、
前記収容部を開閉可能に覆う被覆部と、
を備え、
前記被覆部は、前記第１形態から前記第２形態への変形に連動して、前記物品を前記収容部に収容した状態となるように、前記収容部を覆うべく動作可能である、
変形玩具。
【請求項２】
前記物品は、前記接触部に接触した状態で、第２形態において前記収容部に収容可能である、
請求項１に記載の変形玩具。
【請求項３】
前記被覆部は、前記第１形態においては、前記変形玩具の一部に係合し、
前記被覆部の前記変形玩具への係合は、前記第１形態から前記第２形態への変形に伴って解除される、
請求項１または２に記載の変形玩具。
【請求項４】
前記変形玩具は、第１構成部と、前記第１構成部に変位可能に設けられた第２構成部とを備え、
前記第２構成部の変位により、前記第１形態から前記第２形態へ変形可能である、
請求項１〜３のいずれか１項に記載の変形玩具。
【請求項５】
前記第１構成部に対する前記第２構成部の変位は、回転変位である、
請求項４に記載の変形玩具。
【請求項６】
前記変形玩具は、前記第２構成部の回転変位を規制する規制部を有する、
請求項５に記載の変形玩具。
【請求項７】
前記第１構成部に対する前記第２構成部の変位は、直線変位である、
請求項４に記載の変形玩具。
【請求項８】
前記変形玩具は、前記第２構成部の直線変位を規制する規制部を有する、
請求項７に記載の変形玩具。
【請求項９】
前記変形玩具は、前記変位を生じさせ得る弾性部材を有し、
前記変位は、前記弾性部材の弾性力によりなされる、
請求項４〜８のいずれか１項に記載の変形玩具。
【請求項１０】
前記接触部は、前記第２構成部に設けられる、
請求項４〜９のいずれか１項に記載の変形玩具。
【請求項１１】
前記接触部は、磁性部材を有し、
前記物品は、前記磁性部材に磁力が及び得る永久磁石を備え、
前記変形制御機構は、前記磁性部材の磁力により前記第１形態から前記第２形態へ変形可能に制御する、
請求項１０に記載の変形玩具。
【請求項１２】
前記変形制御機構は、前記接触部に前記物品が接触していないことを条件に前記第１構成部が前記第２構成部を保持可能に制御し、かつ、前記接触部に前記物品が接触したことを条件に前記第１構成部による前記第２構成部の保持を解除可能に制御する、
請求項４〜１１のいずれか１項に記載の変形玩具。
【請求項１３】
前記変形制御機構は、前記接触部への前記物品の接触に応じて前記第２構成部の保持を解除するための操作部を含む、
請求項１２に記載の変形玩具。
【請求項１４】
前記操作部は、前記接触部に前記物品が接触したときに前記第２構成部の一部を介して操作されるように構成される、
請求項１３に記載の変形玩具。
【請求項１５】
前記操作部は、前記接触部に前記物品が接触したときに中継部材を介して操作されるように構成される、
請求項１３に記載の変形玩具。
【請求項１６】
前記操作部は、前記接触部に前記物品が接触したときに当該物品によって操作されるように構成される、
請求項１３に記載の変形玩具。
【請求項１７】
前記収容部は、前記第２構成部に設けられる、
請求項４〜１６のいずれか１項に記載の変形玩具。
【請求項１８】
前記第１形態は、人型形態を除く生物型形態であり、前記第２形態は、人型形態であり、
前記第１構成部は、前記第１形態および前記第２形態における脚部を含み、前記第２構成部は、前記第１形態および前記第２形態における頭部を含む、
請求項４〜１７のいずれか１項に記載の変形玩具。
【請求項１９】
前記変形玩具の高さは、前記第１形態よりも前記第２形態のほうが大きい、
請求項１８に記載の変形玩具。
【請求項２０】
前記第２構成部は、前記第１形態において前記接触部とは異なる位置に前記物品を載置可能な載置部を有する、
請求項４〜１９のいずれか１項に記載の変形玩具。
【請求項２１】
前記第２構成部は、前記載置部への前記物品の載置に応じて動作する形象部を有する、
請求項２０に記載の変形玩具。
【請求項２２】
第１形態と当該第１形態とは異なる第２形態とに変形可能な変形玩具と物品とを備える変形玩具セットであって、
前記変形玩具は、
前記変形玩具は、物品が接触可能な接触部と、
前記接触部への前記物品の接触を条件として、前記第１形態から前記第２形態へ変形可能に制御する変形制御機構と、
前記物品を収容可能な収容部と、
前記収容部を開閉可能に覆う被覆部と、
を備え、
前記被覆部は、前記第１形態から前記第２形態への変形に連動して、前記物品を前記収容部に収容した状態となるように、前記収容部を覆うべく動作可能である、  
変形玩具セット。
【請求項２３】
前記変形玩具の第１形態が人型形態を除く生物型形態であるとき、前記物品は当該人型形態を除く生物型形態に対応した外観を有する、
請求項２２に記載の変形玩具セット。
【発明の詳細な説明】
【技術分野】
【０００１】
本発明は、第１形態と当該第１形態とは異なる第２形態とに可逆的に変形可能な変形玩具と、この変形玩具と変形誘発用の物品とを備えた変形玩具セットに関する。
【背景技術】
【０００２】
後記特許文献１には、第１形態（昆虫形態）と当該第１形態と異なる第２形態（ロボット形態）に可逆的に変形可能な変形玩具が開示されている。ただし、この変形玩具は、第１形態から第２形態への変形と第２形態から第１形態への変形とを手動によって行うものである。
【先行技術文献】
【特許文献】
【０００３】
【特許文献１】実開昭５９−１７４８８７号公報
【発明の概要】
【発明が解決しようとする課題】
【０００４】
本発明が解決しようとする課題は、変形に際する楽しさおよび面白さを遊戯者に提供することができる変形玩具と、この変形玩具と変形玩具に装着可能な変形誘発用の物品とを備えた変形玩具セットを提供することにある。
【課題を解決するための手段】
【０００５】
本発明に係る変形玩具は、第１形態と当該第１形態とは異なる第２形態とに変形可能な変形玩具であって、前記変形玩具は、物品が接触可能な接触部と、前記接触部への前記物品の接触を条件として、前記第１形態から前記第２形態へ変形可能に制御する変形制御機構と、前記物品を収容可能な収容部と、前記収容部を開閉可能に覆う被覆部と、を備え、前記被覆部は、前記第１形態から前記第２形態への変形に連動して、前記物品を前記収容部に収容した状態となるように、前記収容部を覆うべく動作可能である。一方、本発明に係る変形玩具セットは、前掲の変形玩具と、前掲の物品とを備える。
【発明の効果】
【０００６】
本発明に係る変形玩具、及び変形玩具セットによれば、変形に際する楽しさおよび面白さを遊戯者に提供することができる。
【図面の簡単な説明】
【０００７】
【図１】図１（Ａ）は本発明の第１実施形態に係る変形玩具の第２形態（人型形態）の前面図、図１（Ｂ）は同第２形態の側面図、図１（Ｃ）は同第２形態の後面図、図１（Ｄ）は同第２形態の腕部除外の図１（Ｂ）対応図である。
【図２】図２（Ａ）は本発明の第１実施形態に係る変形玩具の第１形態（カブトムシ形態）の前面図、図２（Ｂ）は同第１形態の側面図、図２（Ｃ）は同第１形態の腕部除外の図２（Ｂ）対応図である。
【図３】図３は図１（Ｂ）の一部除外の拡大縦断面図である。
【図４】図４（Ａ）は図１および図２に示した変形玩具に係る変形誘発用の物品の前面図、図４（Ｂ）は図７（Ａ）の縦断面図である。
【図５】図５は図１および図２に示した変形玩具の変形に係る動作説明図である。
【図６】図６は図１および図２に示した変形玩具の変形に係る動作説明図である。
【図７】図７は図１および図２に示した変形玩具の変形に係る動作説明図である。
【図８】図８は図１および図２に示した変形玩具の変形に係る動作説明図である。
【図９】図９は図１および図２に示した変形玩具の変形に係る動作説明図である。
【図１０】図１０は図１および図２に示した変形玩具の第１変形例を示す図１（Ｃ）対応図である。
【図１１】図１１は図１および図２に示した変形玩具の第２変形例を示す図２（Ｂ）対応図である。
【図１２】図１２（Ａ）は本発明の第２実施形態に係る変形玩具の第２形態（人型形態）の前面図、図１２（Ｂ）は同第２形態の側面図、図１２（Ｃ）は同第２形態の後面図、図１２（Ｄ）は同第２形態の腕部除外の図１２（Ｂ）対応図である。
【図１３】図１３（Ａ）は本発明の第２実施形態に係る変形玩具の第１形態（クワガタムシ形態）の上面図、図１３（Ｂ）は同第１形態の側面図、図２（Ｃ）は同第１形態の腕部除外の図１３（Ｂ）対応図である。
【図１４】図１４は図１３（Ｂ）の一部除外の拡大縦断面図である。
【図１５】図１５（Ａ）は図１２および図１３に示した変形玩具に係る変形誘発用の物品の前面図、図１６（Ｂ）は図１６（Ａ）の縦断面図である。
【図１６】図１６は図１２および図１３に示した変形玩具の変形に係る動作説明図である。
【図１７】図１７は図１２および図１３に示した変形玩具の変形に係る動作説明図である。
【図１８】図１８は図１２および図１３に示した変形玩具の第１変形例を示す図１２（Ｃ）対応図である。
【図１９】図１９は図１２および図１３に示した変形玩具の第２変形例を示す図１３（Ｂ）対応図である。
【図２０】図２０は本発明の第３実施形態に係る変形玩具の第２形態（人型形態）の前面図である。
【図２１】図２１（Ａ）は本発明の第３実施形態に係る変形玩具の第１形態（ハチ形態）の上面図、図１３（Ｂ）は同第１形態の前面図である。
【図２２】図２２は図２１に示した第１形態において羽部を開いた状態を示す図２１（Ａ）対応図である。
【図２３】図２３（Ｂ）は図２０および図２１に示した変形玩具の羽部開放機構を示す部分破断の拡大上面図、図２３（Ｂ）は図２３（Ａ）のＳ１−Ｓ１に沿う同羽部開放機構を示す拡大縦断面図である。
【図２４】図２４は図２０の一部除外の拡大縦断面図である。
【図２５】図２５（Ａ）は図２０および図２１に示した変形玩具に係る変形誘発用の物品の前面図、図２５（Ｂ）は図２５（Ａ）の縦断面図である。
【図２６】図２６（Ａ）および図２６（Ｂ）は図２０および図２１に示した変形玩具の羽部の開放に係る動作説明図である。
【図２７】図２７（Ａ）および図２７（Ｂ）は図２０および図２１に示した変形玩具の変形に係る動作説明図である。
【発明を実施するための形態】
【０００８】
《第１実施形態》
図１〜図１１は本発明の第１実施形態に係る変形玩具１００に関する図である。この変形玩具１００は第１形態（カブトムシ形態、図２を参照）と当該第１形態とは異なる第２形態（人型形態、図１を参照）とに可逆的に変形可能であり、一部を除き、ポリプロピレンやＡＢＳ樹脂等の合成樹脂から形成されている。本実施形態及びその他の実施形態において、第１形態を虫の名称を用いた形態として記載しているが、虫の形態に限定されるものではなく、人型形態を除く生物型形態とすることも可能である。
【０００９】
まず、図１〜図３を用いて、変形玩具１００の構成について説明する。この説明では、便宜上、図１（Ａ）の手前側を前、奥側を後、左側を右、右側を左、上側を上、下側を下と表記し、他の図についてもこれらに準じて向きを表記する。
【００１０】
変形玩具１００は、変形誘発用の物品１０（図４を参照）が接触可能な接触部（磁性部材１２３ｂ、図３を参照）を有しており、接触部（磁性部材１２３ｂ）への物品１０の接触を契機として第１形態から第２形態に変形可能に構成されている。ここで、「変形誘発用の物品」とは、物品１０の変形玩具１００への接触に起因し、変形玩具１００の変形が実行される物品であることを意味している。これに関しては、その他の実施形態においても同様である。
【００１１】
変形玩具１００は、第１構成部１１０と、第１構成部１１０に変位可能に設けられた第２構成部１２０とを備えている。第１構成部１１０は、脚部１１１と、脚部１１１に設けられた下側胴部１１２と、下側胴部１１２に設けられた操作部１１３とを有している。第２構成部１２０は、回転変位可能に下側胴部１１２に設けられた上側胴部１２１と、回転変位可能に上側胴部１２１に設けられた頭部１２２と、回転変位可能に上側胴部１２１に設けられた顔面部１２３と、上側胴部１２１に設けられた１対の腕部１２４と、頭部１２２に設けられた第１角部１２５および第２角部１２６と、上側胴部１２１に設けられた羽部１２７とを有している。第１角部１２５および第２角部１２６はカブトムシに対応した形象部である。
【００１２】
すなわち、変形玩具１００の第２構成部１２０は第１構成部１１０に対する回転変位が可能となるよう設けられており、下側胴部１１２の上面と上側胴部１２１の下面は相互接触によって第２構成部１２０の回転変位を規制する規制部（符号省略）となっている。後に詳述するが、変形玩具１００は、変形制御機構（符号省略、操作部１１３を含む）を有し、変形制御機構は、接触部（磁性部材１２３ｂ）に物品１０が接触していないことを条件に第１構成部１１０が第２構成部１２０を第１形態で保持可能に制御し、かつ、接触部（磁性部材１２３ｂ）に物品１０が接触したことを条件に第１構成部１１０による第２構成部１２０の保持を解除可能に制御する。ちなみに、変形玩具１００は、変形玩具１００の第２構成部１２０における上側胴部１２１の回転変位と、頭部１２２の回転変位と、顔面部１２３の回転変位とを生じさせる弾性部材を動力源として有し、これらの弾性部材は、いずれも捻りバネ等の弾性部材である。
【００１３】
第１構成部１１０の構成を図３を用いて詳述すると、脚部１１１は上から見て略Ｕ字状を成しており、下側胴部１１２は略直方体状を成している。下側胴部１１２の上部前側の左右両側には左または右から見て略１／４円状の溝部１１２ａ（図中の符号の記載を省略）が設けられ、上部前側の中央には左または右から見て略３／４円状の軸部１１２ｂが設けられている。
【００１４】
操作部１１３は、左または右から見て略Ｌ字状を成しており、下側の端部を下側胴部１１２の孔１１２ｃから前方に突出し、他の部分は下側胴部１１２内に収納されている。また、操作部１１３は、下側胴部１１２に設けられたピン１１３ａとの協働によって直線案内を行う長孔１１３ｂを有しており、圧縮バネ１１３ｃによって前方に付勢されている。さらに、操作部１１３は、上側の端部が係合部１１３ｄとなっている。すなわち、操作部１１３の突出部分を押圧することにより、操作部１１３全体を圧縮バネ１１３ｃの付勢力に抗して後方に移動できるようになっている。
【００１５】
第２構成部１２０の構成を図３を用いて詳述すると、上側胴部１２１の下部前側の左右両側には略３／４円状の軸部１２１ａが設けられ、後部上側の中央には縦長の凸部１２１ｂが設けられている。また、両軸部１２１ａの中心にはシャフト１２１ｃが設けられており、シャフト１２１ｃの中央には外周面に被係合部１２１ｄ１を有する略円柱状のカム部１２１ｄが設けられている。両軸部１２１ａは下側胴部１１２の溝部１１２ａそれぞれに回転可能に配置されており、シャフト１２１ｃは下側胴部１１２の軸部１１２ｂの中心を通るように位置し、カム部１２１ｄの左右位置は操作部１１３の係合部１１３と左右位置と整合している。すなわち、上側胴部１２２は、シャフト１２１ｃの軸線を中心（図１（Ｄ）のＲＳ１１を参照）として前後方向に回転できるようになっている。図示を省略したが、上側胴部１２１は、シャフト１２１ｃの周囲に設けた捻りバネ等の弾性部材によって、図３において時計回り方向に付勢されている。さらに、上側胴部１２１の上部の左右両側には、略円筒状の腕取付部１２１ｄが設けられている。
【００１６】
頭部１２２は左または右から見て略球状を成しており、前部から下部に及ぶ切欠部１２２ａが設けられ、左右両側には左および右から見て円形の孔１２２ｂが設けられ、後部には縦長の溝部１２２ｂが設けられている。両孔１２１ｃには上側胴部１２１の腕取付部１２１ｃそれぞれが回転可能に挿入されており、溝部１２２ｂには上側胴部１２１の凸部１２１ｂが移動可能に挿入されている。すなわち、頭部１２２は、上側胴部１２１の腕取付部１２１ｃの軸線を中心（図１（Ｄ）のＲＳ１２を参照）として前後方向に回転できるようになっている。図示を省略したが、頭部１２２は、孔１２１ｃの周囲に設けた捻りバネ等の弾性部材によって、図３において反時計回り方向に付勢されている。
【００１７】
顔面部１２３は縦断面が略Ｌ字状を成しており、下部後側の中央に腕部１２３ａが設けられ、内側にステンレス等の強磁性材料から成る円盤状の磁性部材１２３ｂが設けられている。腕部１２３ａの後部には外周面に被係合部１２３ａ２を有する略円柱状のカム部１２３ａ１が設けられており、カム部１２３ａ１の中心にはシャフト１２３ｃが設けられており、シャフト部１２３ｃの両端は上側胴部１２１に回転可能に支持されている。ちなみに、顔面部１２３を前から見たときの左右方向寸法と上下方向寸法は、頭部１２２の切欠部１２２ａの前部から下部一部を閉塞できる寸法となっている。すなわち、顔面部１２３は、シャフト１２３ｃの軸線を中心（図１（Ｄ）のＲＳ１３を参照）として前後方向に回転できるようになっている。図示を省略したが、顔面部１２３は、シャフト１２３ｃの周囲に設けた捻りバネ等の弾性部材によって、図３において時計回り方向に付勢されている。つまり、顔面部１２３は、頭部１２２の切欠部１２２ａの前部および下部一部を閉塞した状態において物品１０を収容可能な収容部ＳＰ１０をその内側に形成する。つまり、顔面部１２３は、物品１０の収容部ＳＰ１０への収容状態において、収容部ＳＰ１０を閉塞可能な被覆部と言うことができる。さらに、カム部１２３ａ１の後側（上側胴部１２１の内側）には、被係合部１２３ａ２との係合を可能とした板バネ１２３ｄが設けられている。
【００１８】
各腕部１２４は、上腕部と前腕部と手部と３個の連結杆とから成り（いずれも符号省略）、上腕部の上側の連結杆の端部を各腕取付部１２１ｄに取り付けられている。上腕部は腕取付部１２１ｄに対して３次元的に動かせるようになっており、前腕部は上腕部に対して３次元的に動かせるようになっており、手部は前腕部に対して３次元的に動かせるようになっている。
【００１９】
次に、図４を用いて、変形誘発用の物品１０について説明する。この説明では、便宜上、図４（Ａ）の手前側を前、奥側を後、左側を右、右側を左、上側を上、下側を下と表記し、他の図についてもこれらに準じて向きを表記する。
【００２０】
物品１０は、胴部１１および頭部１２を有する人型形態となっており、頭部１２には変形玩具１００の第１形態（カブトムシ形態、図２を参照）に対応した形象部分１２ａが設けられている。すなわち、物品１０は、変形玩具１００の第１形態に対応した外観を有している。図４（Ａ）には形象部分１２ａの他、目、口、腕および脚等を非立体的に付したものを示したが、これらは立体的に構成されていてもよい。また、胴部１１の下部には、高磁力のネオジム磁石やサマリウムコバルト磁石等から成り、例えば円柱状の永久磁石１３が内蔵されている。
【００２１】
次に、図５〜図９を用いて、変形玩具１００の変形に係る動作（遊戯方法）について説明する。この説明では、図５の左側を前、右側を後、奥側を右、手前側を左、上側を上、下側を下と表記し、他の図についてもこれらに準じて向きを表記する。
【００２２】
変形玩具１００を第２形態（人型形態、図１を参照）から第１形態（カブトムシ形態、図２を参照）に変形させるときには、変形玩具１００の脚部１１１を卓上等の比較的平坦な面ＦＳ上に置き、図５に示したように、頭部１２２を弾性部材の付勢力に抗して時計回り方向に回転させる。図示を省略したが、頭部１２２と上側胴部１２１との間には顔面部１２３と同様のカム部および板バネが設けられているため、頭部１２２は時計回り方向に略９０度回転させたところで停止する。
【００２３】
続いて、図６に示したように、顔面部１２３を弾性部材の付勢力に抗して反時計回り方向に回転させる。顔面部１２３を反時計回り方向に回転させるとカム部１２３ａ１の被係合部１２３ａ２に板バネ１２３ｄの先端が係合するため、顔面部１２３は反時計回り方向に略４５度回転させたところで停止する。
【００２４】
続いて、図７に示したように、上側胴部１２１を弾性部材の付勢力に抗して反時計回り方向に回転させる。図７には示していないが、上側胴部１２１を反時計回り方向に回転させるときには各腕部１２４を第１形態（カブトムシ形態、図２を参照）に見合うように予め動かしておく。上側胴部１２１を反時計回り方向に回転させるとカム部１２１ｄの被係合部１２１ｄ１に操作部１１３の係合部１１３ｄが係合するため、上側胴部１２１は反時計回り方向に略９０度回転させたところで停止する。以上で変形玩具１００が第２形態（人型形態、図１を参照）から第１形態（カブトムシ形態、図２を参照）に変形する。第１形態の高さは第２形態の高さよりも小さくなる。
【００２５】
変形玩具１００を第１形態（カブトムシ形態、図２を参照）から第２形態（人型形態、図１を参照）に変形させるときには、図８に示したように、顔面部１２３の前方に永久磁石１３が磁性部材１２３ｂと向き合うように物品１０を面ＦＳ上に置き、第１形態の変形玩具１００を物品１０に向かって勢いよく移動させる。すなわち、面ＦＳが滑りがよい面である場合には、第１形態の変形玩具１００を手で強く押して面ＦＳ上を滑らせることによってこの操作を行う。面ＦＳが滑りがよい面でない場合もあり得るため、このような場合を想定して、脚部１１１の下面に予め走行用車輪を複数個設けておくことが望ましい。
【００２６】
前記の移動によって第１形態の変形玩具１００の顔面部１２３内に物品１０が乗り上がり、かつ、物品１０が永久磁石１３の磁力によって磁性部材１２３ｂに当接して吸着されると、このときの勢いによって顔面部１２３が図９において反時計回り方向に回転するとともに、この回転に基づいて顔面部１２３の外面によって操作部１１３の突出部分が後方に押圧される。
【００２７】
操作部１１３の突出部分が後方に押圧されると、操作部１１３全体が後方に移動し、この後方移動によって操作部１１３の係合部１１３ｄのカム部１２１ｄの被係合部１２１ｄ１への係合が解除される。すなわち、上側胴部１２１が弾性部材の付勢力によって時計回り方向に回転して復帰する。また、上側胴部１２１の復帰に伴う衝撃および慣性により、顔面部１２３の係合が解除されて当該顔面部１２３が弾性部材の付勢力によって時計回り方向に回転して復帰するとともに、頭部１２２の係合も解除されて当該頭部１２２が弾性部材の付勢力によって反時計回り方向に回転して復帰する（図３を参照）。この復帰過程では、顔面部１２３内に入り込んだ物品１０は永久磁石１３の磁力によって磁性部材１２３ｂに吸着された状態を維持するため、図３に示したように、物品１０は縦向き姿勢で収容部ＳＰ１０に収容される。すなわち、物品１０は、面ＦＳ上に置かれた横向き姿勢の初期状態から姿勢が変化し、変形後の収容部ＳＰ１０への収容状態においては縦向き姿勢になる。収容部ＳＰ１０に収容された物品１０は顔面部１２３および頭部１２２によって覆い隠され、外部から見えないようにすることもできる。また、顔面部１２３または頭部１２２の部材の一部を透明部材で構成する、または、顔面部１２３及び頭部１２２の少なくとも一方に開口部を形成することで、収容部ＳＰ１０に物品１０が収容されても、物品１０の一部が外部から見えるようにすることも可能である。以上で変形玩具１００が第１形態（カブトムシ形態、図２を参照）から第２形態（人型形態、図１を参照）に変形する。第２形態の高さは第１形態の高さよりも大きくなる。
【００２８】
次に、変形玩具１００によって得られる主たる作用効果について説明する。
【００２９】
変形玩具１００における第１形態（カブトムシ形態、図２を参照）から第２形態（人型形態、図１を参照）への変形を、変形誘発用の物品１０を使用して行えるため、変形に際して楽しさおよび面白さを遊戯者に提供することができる。また、例えば物品１０を操縦者、変形玩具１００を操縦者が操縦するロボットのようなキャラクタとして設定した場合には、変形後に変形に用いられた物品１０が収容部ＳＰ１０に収容された状態が、操縦者がロボットに乗り組む様子として演出されることにより、遊戯者に大きな興趣性を感じさせることが可能となる。
【００３０】
また、変形玩具１００と変形誘発用の物品１０とのセットを遊戯者に提供すれば、変形玩具１００と物品１０を別々に用意する面倒を解消することができるとともに、セット入手後に前記の楽しさおよび面白さを遊戯者に直ぐさま提供することができる。
【００３１】
次に、前記同様の作用効果が得られる変形玩具１００の変形例について説明する。
【００３２】
〈変形例１〉形象部としての羽部１２７を、図１０に示したような開閉式の羽部１２７-1とすれば、羽部１２７-1の開閉に基づく楽しさおよび面白さを遊戯者に提供することができる。また、この羽部１２７-1を弾性部材を用いて開く方向に付勢し、かつ、係合によって閉じた状態に維持する構成とし、この係合を上側胴部１２１の復帰に伴って解除できるようにすれば、変形玩具１００が第１形態（カブトムシ形態、図２を参照）から第２形態（人型形態、図１を参照）に変形するタイミングで羽部１２７-1が閉じた状態から開いた状態に変化させて、当該変化に基づく楽しさおよび面白さを付加することができる。
【００３３】
〈変形例２〉変形玩具１００の第２構成部１２０、例えば、図１１に示したような羽部１２７に、磁性部材１２３ｂと同様の磁性部材を内蔵した載置部１２７ｂを設けてもよい。このようにすれば、変形玩具１００が第１形態（カブトムシ形態、図２を参照）にあるときや第２形態（人型形態、図１を参照）にあるときに、物品１０を載置部１２７ｂに任意に載置することができ、当該載置に基づく楽しさおよび面白さを付加することができる。
【００３４】
〈変形例３〉物品１０と連動する変形制御機構は、同様の動作が得られるものであれば図３に示した機構以外の機構を採用してもよい。また、顔面部１２３の係合と頭部１２４の係合、ならびに、前記変形例１の羽部１２７ａの係合を上側胴部１２１の回転変位に伴って解除するものを例示したが、上側胴部１２１の回転変位を利用して各々の係合を機械的に解除する構成としてもよい。
【００３５】
《第２実施形態》
図１２〜図１９は本発明の第２実施形態に係る変形玩具２００に関する図である。この変形玩具２００は第１形態（クワガタムシ形態、図１３を参照）と当該第１形態とは異なる第２形態（人型形態、図１２を参照）とに可逆的に変形可能であり、一部を除き、ポリプロピレンやＡＢＳ樹脂等の合成樹脂から形成されている。
【００３６】
まず、図１２〜図１４を用いて、変形玩具２００の構成について説明する。この説明では、便宜上、図１２（Ａ）の手前側を前、奥側を後、左側を右、右側を左、上側を上、下側を下と表記し、他の図についてもこれらに準じて向きを表記する。
【００３７】
変形玩具２００は、変形誘発用の物品２０（図１５を参照）が接触可能な接触部（収容部ＳＰ２の底部、図１４を参照）を有しており、接触部（収容部ＳＰ２０の底部）への物品２０の接触を契機として第１形態から第２形態に変形可能に構成されている。
【００３８】
変形玩具２００は、第１構成部２１０と、第１構成部２１０に変位可能に設けられた第２構成部２２０とを備えている。第１構成部２１０は、脚部２１１と、脚部２１１に設けられた下側胴部２１２とを有している。第２構成部２２０は、回転変位可能に下側胴部２１２に設けられた上側胴部２２１と、上側胴部２２１に設けられた頭部２２２と、頭部２２２に設けられた１対の腕部２２３と、頭部２２２に設けられた顎状の装飾部２２４と、上側胴部２２１または後記胸部２２６に回転変位可能に設けられた羽部２２５と、上側胴部２２１に設けられた胸部２２６と、胸部２２６に回転変位可能に設けられた左右一対の顎部２２７とを有している。顎状の装飾部２２４と左右一対の顎部２２７はクワガタムシに対応した形象部である。
【００３９】
すなわち、変形玩具２００の第２構成部２２０は第１構成部２１０に対する回転変位が可能となるように設けられており、下側胴部２１２の上面と上側胴部２２１の下面は相互接触によって第２構成部２２０の回転変位を規制する規制部（符号省略）となっている。後に詳述するが、変形玩具２００は、変形制御機構（符号省略、操作部２２８ｆ）を有し、変形制御機構は、接触部（収容部ＳＰ２０の底部）に物品２０が接触していないことを条件に第１構成部２１０が第２構成部２２０を第１形態で保持可能に制御し、かつ、接触部（収容部ＳＰ２０の底部）に物品２０が接触したことを条件に第１構成部２１０による第２構成部２２０の保持を解除可能に制御する。ちなみに、変形玩具２００は、変形玩具２００の第２構成部２２０における上側胴部２２１の回転変位と、羽部２２５の回転変位とを生じさせる弾性部材を動力源として有し、これらの弾性部材は、いずれも捻りバネ等の弾性部材である。
【００４０】
第１構成部２１０の構成を図１４を用いて詳述すると、脚部２１１は上から見て略Ｕ字状を成しており、下側胴部２１２は略４角錐台状を成している。下側胴部２１２の上部前側の左右両側には左または右から見て略１／４円状の溝部２１２ａ（図中の符号の記載を省略）が設けられ、上部前側の中央には左または右から見て略１／２円状の軸部２１２ｂが設けられている。また、軸部２１２ｂの外周面には被係合部２１２ｂ１が設けられており、軸部２１２ｂの中心にはシャフト２１２ｃが設けられている。
【００４１】
第２構成部２２０の構成を図１４を用いて詳述すると、上側胴部２２１の下部前側の左右両側には略１／２円状の軸部２２１ａが設けられており、両軸部２２１ａはシャフト２１２ｃの左右両側の突出部分に回転可能に支持されている。すなわち、上側胴部２２１は、シャフト２１２ｃの軸線を中心（図１２（Ｄ）のＲＳ２１を参照）として前後方向に回転できるようになっている。図示を省略したが、上側胴部２２１は、シャフト２１２ｃの周囲に設けた捻りバネ等の弾性部材によって、図１４において時計回り方向に付勢されている。
【００４２】
頭部２２２の左右両側には、略円筒状の腕取付部２２２ａが設けられている。各腕部２２３は、上腕部と前腕部と手部と３個の連結杆とから成り（いずれも符号省略）、上腕部の上側の連結杆の端部を各腕取付部２２２ａに取り付けられている。上腕部は腕取付部２２１ｄに対して３次元的に動かせるようになっており、前腕部は上腕部に対して３次元的に動かせるようになっており、手部は前腕部に対して３次元的に動かせるようになっている。また、頭部２２２の後部には、物品２０を収容可能な収容部ＳＰ２０が設けられている。
【００４３】
羽部２２５は、頭部２２２の後側に位置し、図示省略のシャフトの軸線を中心（図１２（Ｄ）のＲＳ２２を参照）として前後方向に回転できるようになっている。図示を省略したが、羽部２２５は、シャフトの周囲に設けた捻りバネ等の弾性部材によって、図１４において反時計回り方向に付勢されている。つまり、羽部２２５は、物品２０の収容部ＳＰ２０への収容状態において、収容部ＳＰ２０を閉塞可能な被覆部と言うことができる。
【００４４】
胸部２２６左右両側には、各顎部２２７の端部に設けたピン２２７ａを回転可能に支持する孔付きの支持部２２６が設けられている。すなわち、各顎部２２７は図１２（Ｃ）に示した位置から２点鎖線で示した位置まで動かすことができる。各顎部２２７を図１２（Ｃ）に２点鎖線で示した位置に動かした場合には、各顎部２２７の先端部が前から見えるようになるため、第２形態において装飾的な役目を果たすことになる。
【００４５】
第２構成部材２２０の内部には、変形制御機構の一部を構成する可動レバー２２８が設けられている。可動レバー２２８は、左又は右から見て略Ｌ字状を成しており、上側胴部２２１に設けられたピン２２８ａとの協働によって直線案内を行う長孔２２８ｂを有しており、圧縮バネ２２８ｃによって下方に付勢されている。また、可動レバー２２８は、下部後側の端部が係合部２２８ｄとなっている。さらに、可動レバー２２８は、操作部２２８ｆの移動を案内する斜行した孔２２ｆを上部に有している。孔２２ｆには、ステンレス等の強磁性材料から成る円盤状の磁性部材２２８ｇが後面に設けられた操作部２２８ｆが移動可能に挿入されており、操作部２２８ｆは引張バネ２２８ｈによって前方に付勢されている。すなわち、操作部２２８ｆの磁性部材２２８ｇは、収容部ＳＰ２０の底部に間隔をおいて向き合っている。
【００４６】
次に、図１５を用いて、変形誘発用の物品２０について説明する。この説明では、便宜上、図１５（Ａ）の手前側を前、奥側を後、左側を右、右側を左、上側を上、下側を下と表記し、他の図についてもこれらに準じて向きを表記する。
【００４７】
物品２０は、胴部２１および頭部２２を有する人型形態となっており、頭部２２には変形玩具２００の第１形態（クワガタムシ形態、図１３を参照）に対応した形象部分２２ａが設けられている。すなわち、物品２０は、変形玩具２００の第１形態に対応した外観を有している。図１５（Ａ）には形象部分２２ａの他、目、口、腕および脚等を非立体的に付したものを示したが、これらは立体的に構成されていてもよい。また、胴部２１の下部には、高磁力のネオジム磁石やサマリウムコバルト磁石等から成る円柱状の永久磁石２３が内蔵されている。
【００４８】
次に、図１６および図１７を用いて、変形玩具２００の変形に係る動作（遊戯方法）について説明する。この説明では、図１６の左側を前、右側を後、奥側を右、手前側を左、上側を上、下側を下と表記し、他の図についてもこれらに準じて向きを表記する。
【００４９】
変形玩具２００を第２形態（人型形態、図１２を参照）から第１形態（クワガタムシ形態、図１３を参照）に変形させるときには、変形玩具２００の脚部２１１を卓上等の比較的平坦な面ＦＳ上に置き、図１６に示したように、第２構成部２２０を弾性部材の付勢力に抗して時計回り方向に回転させる。図１６には示していないが、第２構成部２２０を反時計回り方向に回転させるときには各腕部２２３を第１形態（クワガタムシ形態、図１３を参照）に見合うように予め動かしておく。第２構成部２２０を反時計回り方向に回転させると軸部２１２ｂの被係合部２１２ｂ１に可動レバー２２８の係合部２２８ｄが係合するため、第２構成部２２０は反時計回り方向に略９０度回転させたところで停止する。以上で変形玩具２００が第２形態（人型形態、図１２を参照）から第１形態（クワガタムシ形態、図１３を参照）に変形する。第１形態の高さは第２形態の高さよりも小さくなる。
【００５０】
変形玩具２００を第１形態（クワガタムシ形態、図１３を参照）から第２形態（人型形態、図１２を参照）に変形させるときには、図１７に示したように、収容部ＳＰ２０を覆う羽部２２５を開けて収容部ＳＰ２０を露出させてから収容部ＳＰ２０に物品２０を挿入する。この挿入によって物品２０が収容部ＳＰ２０の底部に当接すると、永久磁石２３の磁力によって磁性部材２２８ｅおよび操作部２２８ｆが引き寄せられて上方に移動し、この上方移動によって可動レバー２２８が前方に移動し、この前方移動によって可動レバー２２８の係合部２２８ａの軸部２１２ｂの被係合部２１２ｂ１への係合が解除される。すなわち、第２構成部２２０が弾性部材の付勢力によって時計回り方向に回転して復帰する（図１４を参照）。この復帰過程では、収容部ＳＰ２０に挿入された物品２０は永久磁石２３の磁力によって磁性部材２２８ｇに引き寄せられた状態を維持するため、図１４に示したように、収容部ＳＰ２０内の物品２０は横向き姿勢となる。すなわち、物品２０は、収容部ＳＰ２０の底部に当接させる際の縦向き姿勢の初期状態から変化し、変形後の収容部ＳＰ２０への収容状態においては横向き姿勢になる。収容部ＳＰ２０に収容された物品２０は羽部２２５によって覆い隠され、外部から見えないようにすることもできる。羽部２２５に開口部を形成する、または、羽部２２５の部材の一部を透明部材にすることで、収容部ＳＰ２０に物品２０が収容されても、物品２０の一部が外部から見えるようにすることも可能である。以上で変形玩具２００が第１形態（クワガタムシ形態、図１３を参照）から第２形態（人型形態、図１２を参照）に変形する。第２形態の高さは第１形態の高さよりも大きくなる。
【００５１】
次に、変形玩具２００によって得られる主たる作用効果について説明する。
【００５２】
変形玩具２００における第１形態（クワガタムシ形態、図１３を参照）から第２形態（人型形態、図１２を参照）への変形を、変形誘発用の物品２０を使用して行えるため、変形に際して楽しさおよび面白さを遊戯者に提供することができる。また、例えば物品２０を操縦者、変形玩具２００を操縦者が操縦するロボットのようなキャラクタとして設定した場合には、変形後に変形に用いられた物品２０が収容部ＳＰ２０に収容された状態が、操縦者がロボットに乗り組む様子として演出されることにより、遊戯者に大きな興趣性を感じさせることが可能となる。
【００５３】
また、変形玩具２００と変形誘発用の物品２０とのセットを遊戯者に提供すれば、変形玩具２００と物品２０を別々に用意する面倒を解消することができるとともに、セット入手後に前記の楽しさおよび面白さを遊戯者に直ぐさま提供することができる。
【００５４】
次に、前記同様の作用効果が得られる変形玩具２００の変形例について説明する。
【００５５】
〈変形例１〉形象部としての顎部２２７を、図１８に示したように、弾性部材を用いて上向きに付勢し、かつ、係合によって下向き状態に維持するような顎部２２７-1の構成とし、この係合を第２構成部２２０の復帰に伴って解除できるようにすれば、変形玩具２００が第１形態（クワガタムシ形態、図１３を参照）から第２形態（人型形態、図１２を参照）に変形するタイミングで顎部２２７を下向き状態から上向き状態に変化させて、当該変化に基づく楽しさおよび面白さを付加することができる。
【００５６】
〈変形例２〉変形玩具２００の第２構成部２２０、例えば、図１９に示したような胸部２２６に、磁性部材１２３ｂと同様の磁性部材を内蔵した載置部２２６ｂを設けてもよい。このようにすれば、変形玩具２００が第１形態（クワガタムシ形態、図１３を参照）にあるときや第２形態（人型形態、図１２を参照）にあるときに、物品２０を載置部２２６ｂに任意に載置することができ、当該載置に基づく楽しさおよび面白さを付加することができる。
【００５７】
〈変形例３〉物品２０と連動する変形制御機構は、同様の動作が得られるものであれば図１４に示した機構以外の機構を採用してもよい。また、前記変形例１の顎部２２７-1の係合を第２構成部２２０の回転変位に伴って解除するものを例示したが、第２構成部２２０の回転変位を利用して係合を機械的に解除する構成としてもよい。
【００５８】
《第３実施形態》
図２０〜図２７は本発明の第３実施形態に係る変形玩具３００に関する図である。この変形玩具３００は第１形態（ハチ形態、図２１を参照）と当該第１形態とは異なる第２形態（人型形態、図２０を参照）とに可逆的に変形可能であり、一部を除き、ポリプロピレンやＡＢＳ樹脂等の合成樹脂から形成されている。
【００５９】
まず、図２０〜図２４を用いて、変形玩具３００の構成について説明する。この説明では、便宜上、図２０（Ａ）の手前側を前、奥側を後、左側を右、右側を左、上側を上、下側を下と表記し、他の図についてもこれらに準じて向きを表記する。
【００６０】
変形玩具３００は、変形誘発用の物品３０（図２５を参照）が接触可能な接触部（操作部３２３、図２４を参照）を有しており、接触部（操作部３２３）への物品３０の接触を契機として第１形態から第２形態に変形可能に構成されている。
【００６１】
変形玩具３００は、第１構成部３１０と、第１構成部３１０に変位可能に設けられた第２構成部３２０とを備えている。第１構成部３１０は、脚部３１１と、脚部３１１に設けられた胴部３１２と、胴部３１２の右側に設けられた第１腕部３１３と、胴部３１２の左に設けられた第２腕部３１４と、第１腕部３１３に設けられた載置部３１５と、載置部３１５に回転変位可能に設けられた１対の羽部３１６とを有している。第２構成部３２０は、直線変位可能に胴部３１２に設けられた顔面部３２１と、回転変位可能に顔面部３２１に設けられた頭部３２２とを有している。第１腕部３１３と第２腕部３１４はハチに対応した形象部（ハチの頭と腹）であり、第１腕部３１３に設けられた触角部３１３ａもハチに対応した形象部（触角）であり、第２腕部３１４に設けられた針部３１４ａもハチに対応した形象部（針）である。
【００６２】
すなわち、変形玩具３００の第２構成部３２０は第１構成部３１０に対する直線変位が可能となるように設けられており、胴部３１２の一部（隔壁部３１２ｃ、図２４を参照）と顔面部３２１の一部（係合部３２１ｅ１）は相互接触によって第２構成部３２０の直線変位を規制する規制部（符号省略）となっている。後に詳述するが、変形玩具３００は、変形制御機構（符号省略、操作部３２３を含む）を有し、変形制御機構は、接触部（操作部３２３）に物品３０が接触していないことを条件に第１構成部３１０が第２構成部３２０を第１形態で保持可能に制御し、かつ、接触部（操作部３２３）に物品３０が接触したことを条件に第１構成部３１０による前記第２構成部１２０の保持を解除可能に制御する。ちなみに、変形玩具３００は、変形玩具３００の第１構成部３１０における第１腕部３１３の回転変位の動力源と、第２腕部３１４の回転変位と、羽部３１６の回転変位とを生じさせる弾性部材を動力源として有し、これらの弾性部材は、いずれも捻りバネ等の弾性部材であり、第２構成部３２０における顔面部３２１の直線変位と、頭部３２２の回転変位とを生じさせる弾性部材は、いずれも圧縮バネや捻りバネ等の弾性部材である。
【００６３】
第１構成部３１０の構成を図２１〜図２４を用いて詳述すると、脚部３１１は上から見て略十字状を成しており、胴部３１２は略４角筒状を成している。胴部３１２の上部の左右両側には左または右から見て略矩形状の縦長孔３１２ａが設けられ、各縦長孔３１２ａにはシャフト３１２ｂが設けられ、胴部３１２の内部には隔壁部３１２ｃが設けられている。
【００６４】
第１腕部３１３の端部には、前から見て略３／４円状のカム部３１３ｂが設けられ、カム部３１３ｂの周面には突起３１３ｂ１が設けられている。カム部３１３ｂは胴部３１２の右側の縦長孔３１２ａに挿入された部分をシャフト３１２ｂに回転可能に支持され、上下方向に回転できるようになっている。図示を省略したが、第１腕部３１３は、シャフト３１２ｂの周囲に設けた捻りバネ等の弾性部材によって、図２４において反時計回り方向に付勢されている。
【００６５】
第２腕部３１４の端部には、前から見て略３／４円状のカム部３１４ｂが設けられ、カム部３１４ｂの周面には突起３１４ｂ１が設けられている。カム部３１４ｂは胴部３１２の左側の縦長孔３１２ａに挿入された部分をシャフト３１２ｂに回転可能に支持され、上下方向に回転できるようになっている。図示を省略したが、第２腕部３１４は、シャフト３１２ｂの周囲に設けた捻りバネ等の弾性部材によって、図２４において時計回り方向に付勢されている。
【００６６】
載置部３１５の後部には、上から見て略１／３円状の切欠部３１５ａが設けられている。また、載置部３１５の内部には、下面に２個の係合凹部３１５ｂ１を有する略円柱状の可動盤３１５ｂが設けられており、可動盤３１５ｂの上面にはステンレス等の強磁性材料から成る磁性部材３１５ｃが設けられている。この可動盤３１５ｂは、圧縮バネ３１５ｄによって下方に付勢されている。
【００６７】
各羽部３１６の端部には、第１腕部３１３に設けられた孔３１３ｃに挿入された軸部３１６ａが設けられており、端部の上面には、可動盤３１５ｂの係合凹部３１５ｂ１に係合可能な係合凸部３１６ｂが設けられている。図示を省略したが、各羽部３１６は、軸部３１６ａの周囲に設けた捻りバネ等の弾性部材によって、各々が開く方向に付勢されている。すなわち、各羽部３１６は、軸部３１６ａを中心として前後方向に回転できるようになっており、各々の係合凸部３１６ｂが可動盤３１５ｂの係合凹部３１５ｂ１それぞれに係合している状態では図２１に示したように各羽部３１６は閉じた状態を維持し、一方、各々の係合凸部３１６ｂが可動盤３１５ｂの係合凹部３１５ｂ１それぞれに係合していない状態では図２２に示したように各羽部３１６は開いた状態となる。この開いた状態における各羽部３１６の最大開放角度は、載置部３１５の切欠部３１５ａの各端との当接によって規制されるようになっている。
【００６８】
第２構成部３２０の構成を図２４を用いて詳述すると、顔面部３２１は略四角筒状を成している。顔面部３２１の上部には、物品３０を収容可能な収容部ＳＰ３０が設けられている。また、顔面部３２１の左右両側には軸部３２１ａが設けられ、収容部ＳＰ３０の底部の中央には孔３２１ｂが設けられ、その周囲にはステンレス等の強磁性材料から成るリング状の磁性部材３１５ｃが設けられている。さらに、顔面部３２１の左右両側には、略半球状の突起３２１ｄが設けられいる。さらに、顔面部３２１の下部には左右２本のガイド杆３２１ｅが設けられており、各ガイド杆３２１ｅの下端内側には係合部３２１ｅが設けられている。顔面部３２１の収容部ＳＰ３０の底部と胴部３１２の隔壁部３１２ｃとの間には圧縮バネ３２１ｆが設けられており、顔面部３２１はこの圧縮バネ３２１ｆによって上方に付勢されている。さらに、各ガイド杆３２１ｅの内側には、胴部３１２に設けられたシャフト（符号省略）によって回転可能に支持されたリンク状の被係合部３２１ｇが各ガイド杆３２１ｅに対応して設けられている。図示を省略したが、各被係合部３２１ｇは図２４に示した係合位置を確保するために、シャフトの周囲に設けた捻りバネ等の弾性部材によって付勢されている。
【００６９】
第２構成部３２０の顔面部３２１の内部には、変形制御機構の一部を構成する操作部３２３が設けられている。この操作部３２３は棒状であり、略円錐台状の係合部３２３ａをその下端に有している。操作部３２３は棒状部分を収容部ＳＰ３０の底部の孔３２１ｂに挿入されていて、上端部を孔３２１ｂから上方に突出し、係合部３２３ａを各被係合部３２１ｇの内側端部に接触している。
【００７０】
頭部３２２は、収容部ＳＰ３０を閉塞可能な形を成していて、左右両側に設けられた脚部３２２ａを顔面部３２１の軸部３２１ａそれぞれに回転可能に支持されている。図示を省略したが、頭部３２２は軸部３２１ａそれぞれの周囲に設けた捻りバネ等の弾性部材によって後方（図２４の右から見て反時計回り方向）に付勢されている。また、頭部３２２と顔面部３２１との間には、頭部３２２を開放状態で維持するための凹凸嵌合等による係合手段が設けられている。
【００７１】
次に、図２５を用いて、変形誘発用の物品３０について説明する。この説明では、便宜上、図２５（Ａ）の手前側を前、奥側を後、左側を右、右側を左、上側を上、下側を下と表記し、他の図についてもこれらに準じて向きを表記する。
【００７２】
物品３０は、胴部３１および頭部３２を有する人型形態となっており、頭部３２には変形玩具３００の第１形態（ハチ形態、図２１を参照）に対応した形象部分３２ａが設けられている。すなわち、物品３０は、変形玩具３００の第１形態に対応した外観を有している。図２５（Ａ）には形象部分２２ａの他、目、口、腕および脚等を非立体的に付したものを示したが、これらは立体的に構成されていてもよい。また、胴部３１の下部には、高磁力のネオジム磁石やサマリウムコバルト磁石等から成る円柱状の永久磁石１３が内蔵されている。
【００７３】
次に、図２６および図２７を用いて、変形玩具３００の変形に係る動作（遊戯方法）について説明する。この説明では、図２７（Ａ）の手前側を前、奥側を後、左側を右、右側を左、上側を上、下側を下と表記し、他の図についてもこれらに準じて向きを表記する。
【００７４】
変形玩具２００を第１形態（ハチ形態、図２１を参照）から第２形態（人型形態、図２０を参照）からに変形させるときには、変形玩具２００の脚部２１１を卓上等の比較的平坦な面上に置き、図２６（Ａ）に示したように、載置部３１５に物品３０を載置する。載置部３１５に物品３０が載置されると、永久磁石３３の磁力によって磁性部材３１５ｃおよび可動盤３１５ｂが引き寄せられて上方に移動し、この上方移動によって可動盤３１５ｂの各係合凹部３１５ｂ１が各羽部３１６の係合凸部３１６ｂそれぞれから離れて係合が解除されて、図２６（Ｂ）に示したように各羽部３１６が弾性部材の付勢力によって開く。すなわち、各羽部３１６が閉じた状態から開いた状態に変化して、図２２に示したように顔面部３２１の上端が露出して収容部ＳＰ３０が見えるようになる。
【００７５】
続いて、図２７（Ａ）に示したように、収容部ＳＰ３０に物品３０を挿入する。挿入された物品３０は永久磁石３３の磁力によって磁性部材３２１ｃに引き寄せられるため、この引き寄せによって操作部３２３の突出部分が物品３０によって下方に押圧される。操作部３２３の突出部分が押圧されると当該操作部３２３の係合部３２３ａが下方に移動し、この下方移動によって各被係合部３２１ｇの内側端部が下方に押圧されて回転し、各ガイド杆３２１ｅの係合部３２１ｅ１への係合が解除される。
【００７６】
各ガイド杆３２１ｅの係合部３２１ｅ１の係合が解除されると、図２７（Ｂ）に示したように、顔面部３２１が上方に移動し、各ガイド杆３２１ｅの係合部３２１ｅ１が隔壁部３１２に引っかかったところで上方移動が停止する。すなわち、顔面部３２１の上部が胴部３１２の上端から上方に突出して、図２０に示したように外部から見えるようになる。
【００７７】
また、顔面部３２１が上方に移動すると、図２７（Ｂ）に示したように、各突起３２１ｄの上方に移動して第１腕部３１３の突起３１３ｂ１と第２腕部３１４の突起３１４ｂ１から離反するため、この離反によって第１腕部３１３が弾性部材の付勢力によって反時計回り方向に回転し、かつ、第２腕部３１４が弾性部材の付勢力によって時計回り方向に回転する。
【００７８】
さらに、顔面部３２１が上方に移動すると、図２７（Ｂ）に示したように、この上方移動に伴う衝撃および慣性により、頭部３２２の係合が解除されて弾性部材の付勢力によって回転し、当該頭部３２２が顔面部３２１の上端を覆う。つまり、頭部３２２は、物品３０の収容部ＳＰ３０への収容状態において、収容部ＳＰ３０を閉塞可能な被覆部と言うことができる。収容部ＳＰ３０に収容された物品３０は頭部３２２によって覆い隠され、外部から見えないようすることもできる。また、顔面部３２１および頭部３２２の少なくとも一部を透明部材で構成する、または、顔面部３２１および頭部３２２の少なくともいずれか一方に開口部を形成することで、収容部ＳＰ３０に物品３０が収容されても、物品３０の一部が外部から見えるようにすることも可能である。以上で変形玩具３００が第１形態（ハチ形態、図２１を参照）から第２形態（人型形態、図２０を参照）に変形する。第２形態の高さは第１形態の高さよりも大きくなる。
【００７９】
変形玩具２００を第２形態（人型形態、図２０を参照）から第１形態（ハチ形態、図２１を参照）に変形させるときには、頭部３２２を開いて係合させ、収容部ＳＰ３０から物品３０を取り出す。続いて、顔面部３２２を下方に移動させて、各ガイド杆３２１ｅの係合部３２１ｅを被係合部３２１ｇそれぞれに係合させる（図２４を参照）。顔面部３２２を下方に移動させると、各突起３２１ｄによって第１腕部３１３の突起３１３ｂ１と第２腕部３１４の突起３１４ｂ１がそれぞれ下方に押圧されて、第１腕部３１３と第２腕部３１４が復帰する（図２１（Ｂ）を参照）。続いて、開いた状態にある各羽部３１６を閉じた状態に復帰させる（図２１（Ａ）を参照）。以上で変形玩具３００が第２形態（人型形態、図２０を参照）から第１形態（ハチ形態、図２１を参照）に変形する。第１形態の高さは第２形態の高さよりも小さくなる。
【００８０】
次に、変形玩具３００によって得られる主たる作用効果について説明する。
【００８１】
変形玩具３００における第１形態（ハチ形態、図２１を参照）から第２形態（人型形態、図２０を参照）への変形を、変形誘発用の物品３０を使用して行えるため、変形に際して楽しさおよび面白さを遊戯者に提供することができる。また、例えば物品３０を操縦者、変形玩具３００を操縦者が操縦するロボットのようなキャラクタとして設定した場合には、変形後に変形に用いられた物品３０が収容部ＳＰ３０に収容された状態が、操縦者がロボットに乗り組む様子として演出されることにより、遊戯者に大きな興趣性を感じさせることが可能となる。
【００８２】
また、変形玩具３００と変形誘発用の物品３０とのセットを遊戯者に提供すれば、変形玩具３００と物品１０を別々に用意する面倒を解消することができるとともに、セット入手後に前記の楽しさおよび面白さを遊戯者に直ぐさま提供することができる。
【００８３】
次に、前記同様の作用効果が得られる変形玩具１００の変形例について説明する。
【００８４】
〈変形例１〉物品３０と連動する変形制御機構は、同様の動作が得られるものであれば図２４に示した機構以外の機構を採用してもよく、物品３０と連動する羽部開放機構も、同様の動作が得られるものであれば図２３に示した機構以外の機構を採用してもよい。または、顔面部３２２の係合を顔面部３２０の直線変位に伴って解除するものを例示したが、顔面部３２０の直線変位を利用して係合を機械的に解除する構成としてもよい。
【符号の説明】
【００８５】
１００…変形玩具、１１０…第１構成部、１１１…脚部、１１２…下側胴部、１１３…操作部、１２０…第２構成部、１２１…上側胴体部、１２２…頭部、１２３…顔面部（被覆部）、１２３ｂ…磁性部材、１２４…腕部、１２５，１２６…角部、１２７，１２７-1…羽部、１２７ｂ…載置部、ＳＰ１０…収容部、１０…物品、１３…永久磁石、２００…変形玩具、２１０…第１構成部、２１１…脚部、２１２…下側胴部、２２０…第２構成部、２２１…上側胴体部、２２２…頭部、２２３…腕部、２２４…装飾部、２２５…羽部、２２６…胸部、２２６ｂ…載置部、２２７…顎部、２２８…可動レバー、２２８…操作部、２２８ｇ…磁性部材、ＳＰ２０…収容部、２０…物品、２３…永久磁石、３００…変形玩具、３１０…第１構成部、３１１…脚部、３１２…胴部、３１３…第１腕部、３１４…第２腕部、３１５…載置部、３１６…羽部、３２０…第２構成部、３２１…顔面部、３２１ｃ…磁性部材、３２２…頭部、３２３…操作部、ＳＰ３０…収容部、３０…物品、３３…永久磁石。
【図１】
2019088878.tif 000003
【図２】
2019088878.tif 000004
【図３】
2019088878.tif 000005
【図４】
2019088878.tif 000006
【図５】
2019088878.tif 000007
【図６】
2019088878.tif 000008
【図７】
2019088878.tif 000009
【図８】
2019088878.tif 000010
【図９】
2019088878.tif 000011
【図１０】
2019088878.tif 000012
【図１１】
2019088878.tif 000013
【図１２】
2019088878.tif 000014
【図１３】
2019088878.tif 000015
【図１４】
2019088878.tif 000016
【図１５】
2019088878.tif 000017
【図１６】
2019088878.tif 000018
【図１７】
2019088878.tif 000019
【図１８】
2019088878.tif 000020
【図１９】
2019088878.tif 000021
【図２０】
2019088878.tif 000022
【図２１】
2019088878.tif 000023
【図２２】
2019088878.tif 000024
【図２３】
2019088878.tif 000025
【図２４】
2019088878.tif 000026
【図２５】
2019088878.tif 000027
【図２６】
2019088878.tif 000028
【図２７】
2019088878.tif 000029